(57)【要約】【課題】複数の通信インターフェースを備える情報処理装置において、ネットワークの設定を通信インターフェースごとに行う負担を減らす情報処理装置を提供する。【解決手段】複合機１０の通信設定メモリ１６ａには、共通設定値が記憶される共通設定メモリ領域（Common）５と個別設定が可能な各通信インターフェースの個別設定メモリ領域（Interface1,2,…N）６が形成されている。共通設定メモリ領域５には、各通信インターフェースに共通に利用できる共通設定可能項目（第２設定値：SMTP, POP3等）７に関する設定値が記憶され、各通信インターフェースの個別設定メモリ領域６には、個別設定される第１設定値であるTCP/IPに関する設定値が記憶されている。【選択図】図２
2007104034.tif 000002
【特許請求の範囲】
【請求項１】
複数の通信インターフェースを備える情報処理装置を含む情報処理システムであって、
前記通信インターフェース毎に設定が必要な第１設定値と共通設定可能な第２設定値とを、前記通信インターフェース毎にそれぞれ記憶する第１記憶手段と、
前記第２設定値を記憶する第２記憶手段と、
使用者の操作により、前記通信インターフェース毎に設定を行う第１設定方法により設定値の設定を行うのか、又は、共通設定可能な設定値をまとめて設定する第２設定方法により設定を行うのか、を決定する設定方法決定手段と、
前記設定値を読み出す読出手段と、
前記読出手段により読み出された設定値を更新する更新手段と、を備え、
前記読出手段は、前記設定方法決定手段によって決定した設定方法が、前記第１設定方法の場合には前記第１記憶手段に記憶された前記第１設定値及び前記第１記憶手段に記憶された前記第２設定値の少なくともいずれか１つを読み出し、前記第２設定方法の場合には前記第１記憶手段に記憶された前記第１設定値及び前記第２記憶手段に記憶された前記第２設定値の少なくともいずれか１つを読み出すことを特徴とする情報処理システム。
【請求項２】
前記設定方法決定手段により決定された設定方法が、前記第２設定方法から前記第１設定方法に切り換えられた際に、前記第２記憶手段に記憶された前記第２設定値を、前記第１記憶手段の前記第２設定値として前記通信インターフェース毎にそれぞれ反映させる第１反映手段をさらに備える請求項１に記載の情報処理システム。
【請求項３】
前記設定方法決定手段により決定された設定方法が、前記第１設定方法から前記第２設定方法に切り換えられた際に、前記第１記憶手段に記憶された前記第２設定値を前記第２記憶手段の前記第２設定値として反映させる第２反映手段をさらに備える請求項１又は２に記載の情報処理システム。
【請求項４】
前記第１記憶手段のうちのいずれの前記通信インターフェースに設定された前記第２設定値を、前記第２記憶手段の前記第２設定値に反映させるかを決定する反映対象決定手段をさらに備え、
前記第２反映手段によって反映される前記第２記憶手段の前記第２設定値は、前記第１記憶手段に記憶され前記反映対象決定手段により決定した前記通信インターフェースの前記第２設定値である請求項３に記載の情報処理システム。
【請求項５】
複数の通信インターフェースを備える情報処理装置を含む情報処理システムであって、
前記通信インターフェース毎に設定が必要な第１設定値と共通設定可能な第２設定値とを、一の通信インターフェースに対応して記憶する第１記憶手段と、
前記第１設定値と前記第２設定値とを、他の通信インターフェースに対応して記憶する第２記憶手段と、
使用者の操作により、前記通信インターフェース毎に設定を行う第１設定方法により設定値の設定を行うのか、又は、共通設定可能な設定値をまとめて設定する第２設定方法により設定を行うのか、を決定する設定方法決定手段と、
前記第１記憶手段から前記第１設定値及び前記第２設定値の少なくとも一つを読み出す読出手段と、
前記読出手段により読み出された設定値を更新する更新手段と、を備え、
前記更新手段は、前記設定方法決定手段によって決定した設定方法が、前記第１設定方法の場合には前記第１記憶手段に記憶された設定値を更新し、前記第２設定方法の場合で且つ前記更新手段により更新される設定値が前記第２設定値である場合には前記第１記憶手段に記憶された前記第２設定値と前記第２記憶手段に記憶された前記第２設定値とを更新することを特徴とする情報処理システム。
【発明の詳細な説明】
【技術分野】
【０００１】
本発明は、複数の通信インターフェースを備える情報処理装置を含む情報処理システムに関する。
【背景技術】
【０００２】
複数の通信インターフェースを備えるコンピュータが知られている。例えば、特許文献１には、複数の通信インターフェースを備える印刷装置が開示されている。他にもコンピュータとしてプリント機能、複写機能、ファクシミリ機能等の多機能を有する複合機等が挙げられる。これらのコンピュータにおいて、ネットワークの設定が必要である。
【０００３】
具体的には、コンピュータ等が各通信インターフェースに接続されたネットワークを利用するためには、通信インターフェースごとに、ＴＣＰ／ＩＰ，ＳＭＴＰ，ＰＯＰ３，ＮｅｔＢＩＯＳ，Ｎｅｔｗａｒｅ等の通信設定を行わなければならない。
【０００４】
【特許文献１】特開平８−３１４６５１号公報
【発明の開示】
【発明が解決しようとする課題】
【０００５】
これらのネットワークの設定を、それぞれの通信インターフェースごとに行うことは、管理者にとっても負担となる。設定をし忘れたり、設定値の入力を誤ったりすると、通信ができないことも起こりうる。したがって、各通信インターフェースで共通の設定値となる設定項目については、一度入力されると他の通信インターフェースに反映されることが望まれる。しかしながら、設定項目を共通の設定値として設定したいか、通信インターフェース毎に設定したいかは、管理者によって異なる場合がある。
【０００６】
本発明の課題は、複数の通信インターフェースを備える情報処理装置において、ネットワークの設定を通信インターフェースごとに行う負担を減らす情報処理システムを提供する。
【課題を解決するための手段及び発明の効果】
【０００７】
上記課題を解決するための本発明の情報処理システムは、複数の通信インターフェースを備える情報処理装置を含む情報処理システムであって、通信インターフェース毎に設定が必要な第１設定値と共通設定可能な第２設定値とを、通信インターフェース毎にそれぞれ記憶する第１記憶手段と、第２設定値を記憶する第２記憶手段と、使用者の操作により、通信インターフェース毎に設定を行う第１設定方法により設定値の設定を行うのか、又は、共通設定可能な設定値をまとめて設定する第２設定方法により設定を行うのか、を決定する設定方法決定手段と、設定値を読み出す読出手段と、読出手段により読み出された設定値を更新する更新手段と、を備え、読出手段は、設定方法決定手段によって決定した設定方法が、第１設定方法の場合には第１記憶手段に記憶された第１設定値及び第１記憶手段に記憶された第２設定値の少なくともいずれか１つを読み出し、第２設定方法の場合には第１記憶手段に記憶された第１設定値及び第２記憶手段に記憶された第２設定値の少なくともいずれか１つを読み出すことを特徴とする。
【０００８】
上記構成によれば、設定方法が、第１設定方法であると各通信インターフェース毎に記憶された第１記憶手段から第１設定値と第２設定値とを読み出し、第２設定方法であると個別に設定が必要な第１設定値は第１記憶手段から、共通に設定可能な第２設定値は第２記憶手段から読み出す。更新手段は、第１又は第２記憶手段から読み出された各設定値を更新する。すなわち、第２設定方法により設定値を更新する際には、第２記憶手段により記憶された第２設定値が更新されるため、各通信インターフェース毎に第２設定値をそれぞれ設定しなくても他の通信インターフェースに対しても第２設定値が更新されることとなる。一方、共通設定可能な設定項目であっても、通信インターフェース毎に設定値を設定したいこともある。このような場合には、第１設定方法により設定値を更新すれば、第１記憶手段から読み出された第２設定値が更新される。したがって、このような構成により、使用者がどの設定方法で設定したいかを選択するだけで、使用者の所望の設定方法により設定が行える。特に初心者は共通設定ができるため、操作が簡単になるとともに、必要な設定値が設定されていなかったり間違った設定がされてしまうといった操作ミスを未然に防ぐことができる。なお、第２記憶手段は、任意の通信インターフェースにおける第１記憶手段に記憶された第２設定値が記憶された部分を第２記憶手段として利用することも可能である。
【０００９】
また本発明の情報処理システムは、設定方法決定手段により決定された設定方法が、第２設定方法から第１設定方法に切り換えられた際に、第２記憶手段に記憶された第２設定値を、第１記憶手段の第２設定値として通信インターフェース毎にそれぞれ反映させる第１反映手段を備える。
【００１０】
上記構成によれば、第１反映手段によって、第２記憶手段に記憶された第２設定値が第１記憶手段の第２設定値に反映されるために、通信インターフェース毎に設定を行う前に、予め第１記憶手段の第２設定値を設定することができる。このため、個別に設定を行いたい通信インターフェースの設定値のみ設定値を修正すればよく、共通設定でよい設定値は、そのままにしておくことができ、必要な設定値のみを詳細に所望の設定値とすることができる。
【００１１】
さらに本発明の情報処理システムは、設定方法決定手段により決定された設定方法が、第１設定方法から第２設定方法に切り換えられた際に、第１記憶手段に記憶された第２設定値を第２記憶手段の第２設定値として反映させる第２反映手段を備える。
【００１２】
上記構成によれば、第２反映手段は、第１記憶手段に記憶された第２設定値を第２記憶手段の第２設定値として反映させるために、使用者は、第１記憶手段の第２設定値を、共通設定可能な設定値として利用することができ、第２記憶手段の第２設定値を容易に設定することができる。
【００１３】
さらに、本発明の情報処理システムは、第１記憶手段のうちのいずれの通信インターフェースに設定された第２設定値を、第２記憶手段の第２設定値に反映させるかを決定する反映対象決定手段をさらに備え、第２反映手段によって反映される第２記憶手段の第２設定値は、第１記憶手段に記憶され反映対象決定手段により決定した通信インターフェースの第２設定値である。
【００１４】
上記構成によれば、反映対象決定手段によって、第１記憶手段のうちのいずれの通信インターフェースに設定された第２設定値を、第２記憶手段の第２設定値に反映させるかを決定することができるため、所望の通信インターフェースに設定された第２設定値を第２記憶手段の第２設定値として利用することができる。これにより第２記憶手段の第２設定値を容易に設定できる。
【００１５】
また、本発明の情報処理システムは、複数の通信インターフェースを備える情報処理装置を含む情報処理システムであって、通信インターフェース毎に設定が必要な第１設定値と共通設定可能な第２設定値とを、一の通信インターフェースに対応して記憶する第１記憶手段と、第１設定値と第２設定値とを、他の通信インターフェースに対応して記憶する第２記憶手段と、使用者の操作により、通信インターフェース毎に設定を行う第１設定方法により設定値の設定を行うのか、又は、共通設定可能な設定値をまとめて設定する第２設定方法により設定を行うのか、を決定する設定方法決定手段と、第１記憶手段から第１設定値及び第２設定値の少なくとも一つを読み出す読出手段と、読出手段により読み出された設定値を更新する更新手段と、を備え、更新手段は、設定方法決定手段によって決定した設定方法が、第１設定方法の場合には第１記憶手段に記憶された設定値を更新し、第２設定方法の場合で且つ更新手段により更新される設定値が第２設定値である場合には第１記憶手段に記憶された第２設定値と第２記憶手段に記憶された第２設定値とを更新することを特徴とする。
【００１６】
上記構成によれば、使用者の操作により、設定方法を第２設定方法とするだけで、各通信インターフェース毎に第２設定値をそれぞれ設定しなくても他の通信インターフェースに対しても第２設定値が更新されることとなる。一方、共通設定可能な設定項目であっても、通信インターフェース毎に設定値を設定したいこともある。このような場合には、第１設定方法により設定値を更新すれば、全ての通信インターフェースに対応した記憶手段の第２設定値が更新される。したがって、このような構成により、使用者がどの設定方法で設定したいかを選択するだけで、使用者の所望の設定方法により設定が行える。特に初心者は共通設定ができるため、操作が簡単になるとともに、必要な設定値が設定されていなかったり間違った設定がされてしまうといった操作ミスを未然に防ぐことができる。
【発明を実施するための最良の形態】
【００１７】
以下図面を参照しつつ本発明の実施の形態について説明する。なお、本発明における情報処理装置には、複数の通信インターフェースを備えるコンピュータ、ＦＡＸ装置、及びＦＡＸ機能、メール送信機能、印刷機能、スキャナ機能、コピー機能等の機能を１台に集約した複合機等を含む。以下に示す実施形態では、ＦＡＸ機能を備える複合機（ＭＦＰ）及び複合機に接続された端末装置を情報処理装置として説明する。
【００１８】
図１は、本発明の情報処理システムの一例を示す概略図である。情報処理装置である複合機１０が、端末装置３０ａ，３０ｂに対し有線通信ネットワーク１００を介して接続されている。有線通信ネットワーク１００には、シリアル通信ケーブル、パラレル通信ケーブル、有線ＬＡＮケーブル等を用いることができる。なお、本実施例においては、有線通信ネットワーク１００には有線ＬＡＮケーブル等が用いられている。また、有線通信ネットワーク１００には、複数の複合機１０が接続されていてもよい。
【００１９】
また、複合機１０は、無線通信ネットワーク１０１を介して端末装置４０ａ，４０ｂと接続されている。無線通信ネットワーク１０１には、無線ＬＡＮ、ＩＥＥＥ  ８０２．１１ｘ、Ｂｌｕｅｔｏｏｔｈ（登録商標）等を用いることができる。
【００２０】
複合機１０は、ＣＰＵ１１、ワークメモリ１２ａを備えるＲＡＭ１２、各種プログラムを記憶するＲＯＭ１３、バスライン１４、入出力部（図中では「Ｉ／Ｏ」と表示）１５、不揮発性メモリである外部メモリ１６（例えばＥＥＰＲＯＭなどの不揮発性メモリで構成される）、有線通信ネットワーク１００に接続されて端末装置３０ａ，３０ｂとデータ等を送受信する送受信用の通信インターフェース（図中では「Ｉ／Ｆ」と表示）１８，１９、無線通信ネットワーク１０１に接続されて端末装置４０ａ，４０ｂとデータ等を送受信する送受信用の通信インターフェース（図中では「Ｉ／Ｆ」と表示）２０、及び受信した印刷制御データを一時格納する受信バッファメモリ（以下、受信バッファともいう）１７を備えて構成される。入出力部１５には、タッチパネル、押しボタンスイッチあるいはテンキーなどから構成された入力部２１、ＬＣＤ等からなる表示部２２、及び、周知のインクジェット印字機構、レーザー印字機構、熱転写印字機構、あるいはドットインパクト式印字機構などからなる印刷部２３が接続されている。なお、通信インターフェース１８，１９は、有線通信用インターフェースであり、有線通信ネットワーク１００に接続されている。ＲＯＭ１３には、印刷制御プログラム１３ａ、スキャナ制御プログラム１３ｂ、ＦＡＸ制御プログラム１３ｃ、通信プログラム１３ｄ、及び通信設定プログラム１３ｅが格納されている。
【００２１】
また、本実施形態において情報処理システムは、いわゆる複合機１０とそれに接続する端末装置３０ａとを含んで構成され、印刷部２３のほかに、複写や画像取り込みに使用するスキャナ部２４、及びＦＡＸ部２５も制御対象として入出力部１５に接続されている。これら印刷部２３、スキャナ部２４及びＦＡＸ部２５の動作は周知のものであり、ＲＯＭ１３に格納された対応する制御プログラム１３ａ，１３ｂ，１３ｃを、ＣＰＵ１１がＲＡＭ１２のワークメモリ１２ａにて実行することで動作制御される。
【００２２】
また、複合機１０は、有線通信ネットワーク１００に接続された外部通信網を経由して印刷画像データが組み込まれた電子メールを送受信するメール送受信装置の機能を具備してなる。このメール送受信機能を実現するプログラムは周知のものであり、ＲＯＭ１３に格納された通信プログラム１３ｄに組み込まれている。
【００２３】
通信設定プログラム１３ｅは、複合機１０の通信インターフェース１８，１９，２０の通信設定を行うためのプログラムである。そして複合機１０のＣＰＵ１１が、通信設定プログラム１３ｅを実行することにより、設定方法決定手段、第１反映手段、第２反映手段、反映対象決定、更新手段として機能する。
【００２４】
複合機１０内の外部メモリ１６には、通信インターフェース１８，１９，２０の設定値が記憶されている。図２は、不揮発性メモリである外部メモリ１６（例えば、ＥＥＰＲＯＭなどの不揮発性メモリ）に形成された複合機の通信設定メモリ１６ａの詳細を示すものである。通信設定メモリ１６ａには、共通設定値として利用される設定値が記憶される共通設定メモリ領域（Common）５と個別設定が可能な設定値が記憶される各インターフェースの個別設定メモリ領域（Interface1,2,…N：図１の構成では、Ｎ＝３）６が形成されている。共通設定メモリ領域５が第２記憶手段、各通信インターフェースの個別設定メモリ領域６が第１記憶手段として機能する。
【００２５】
共通設定メモリ領域５には、各通信インターフェースに共通に利用できる共通設定可能項目（第２設定値：SMTP, POP3, NetBIOS, Netware,
Netware Control, Apple Talk, Notification）７に関する設定値が記憶されている。さらに各通信インターフェースの個別設定メモリ領域６には、共通設定可能項目７に加え、個別設定される第１設定値であるTCP/IPに関する設定値が記憶されている。本実施例おいて、共通設定可能項目７は、通信設定プログラム１３ｅによって予め指定されているが、どの設定項目を共通設定可能項目（第２設定値）７とするかをユーザが決められるように構成してもよい。
【００２６】
各通信インターフェースの個別設定メモリ領域６の共通設定可能項目７は、共通設定メモリ領域５の設定値と同一の設定値が格納されることもできるし、それとは異なる各々の設定値を格納することもできる。
【００２７】
図３は、端末装置３０ａ，３０ｂ，４０ａ，４０ｂの電気的構成を示すブロック図である。端末装置３０ａ，３０ｂ，４０ａ，４０ｂは、それぞれ同様のハードウェア構成を有し、ＣＰＵ５１、ワークメモリ５２ａを備えるＲＡＭ５２、各種プログラムを記憶するＲＯＭ５３、記憶装置であるハードディスクドライブ（ＨＤＤ）５４、バスライン５５、入出力部５６、ＣＤ−ＲＯＭドライブ５９、及び有線通信ネットワーク１００あるいは無線通信ネットワーク１０１に接続されてデータ等を送信する送受信用の通信インターフェース６０等を備えたパーソナルコンピュータ（あるいはワークステーション）として構成される。ＨＤＤ５４やＣＤ−ＲＯＭドライブ５９は、インターフェース６４、６９を介してバスライン５５に接続されている。ＨＤＤ５４は、端末装置３０ａ，３０ｂ，４０ａ，４０ｂの基板ソフトウェアとなるＯＳ５４ａ、印刷機能を有した種々のアプリケーション５４ｂ、複合機１０への印刷制御指令処理を行うプリンタドライバ５４ｃ等がインストールされている。入出力部５６には、キーボードあるいはマウス等からなる入力部５７、ＬＣＤあるいはＣＲＴからなる表示部５８が接続されている。
【００２８】
そして、端末装置３０ａのＨＤＤに記憶されたＩＦ設定プログラム５４ｄを、該端末装置３０ａのＣＰＵ５１が実行することにより複合機１０の外部メモリ１６に記憶された通信インターフェースの設定値を読出し、ユーザの操作に従ってそれらの設定値を更新する読出手段、更新手段として機能する。
【００２９】
図４を用いて、設定処理について説明する。通信インターフェースの通信設定を行う場合に、ユーザの操作によってＩＦ設定プログラム５４ｄが実行される。端末装置３０ａは、ネットワーク上に存在するデバイス（複合機１０を含むプリンタ機能を有するデバイス）のノード名、ＩＰアドレス及びステータス情報を受信し、図５に示す設定処理画面を表示部５８に表示する。このとき、表示部５８には、一台の複合機１０であっても、複数の通信インターフェースを備える複合機１０であれば、その通信インターフェース毎に別々のデバイスとして扱われる。図５では、ノード名「ＰＲＮ＿４８Ｂ４３０」として通信インターフェース１８のときの複合機１０の情報（インターフェース１）、ノード名「ＰＲＮ＿４８Ｄ９７Ｃ」として通信インターフェース１９のときの複合機１０の情報（インターフェース２）、「ＰＲＮ＿４８Ｄ９７Ｄ」として通信インターフェース２０のときの複合機１０の情報（インターフェース３）がそれぞれ表示される。ユーザによりデバイスを選択すると、端末装置３０ａから複合機１０に接続される（Ｓ１）。例えば、図５に示すように、設定を行う複合機１０の設定する通信インターフェース（例えば、インターフェース１）を選択して、通信インターフェースのモード設定を行う場合であれば（Ｓ２：Ｙｅｓ）、図６に示すように、通信インターフェースのモード設定画面を開く。設定内容は、設定する複合機１０を選択した状態で、ユーザが入力部５７であるマウスを右クリックする等の操作を行うことにより、このデバイスに関する設定項目の選択メニューが表示される。したがって、ユーザは、選択メニューの中から通信インターフェースのモード設定を行うメニューを選択すればよい。
【００３０】
図６は、通信インターフェースのモード設定画面の例を示す。「設定モード」には、簡単設定（共通設定）と上級者設定（インターフェース毎設定）とがあり、簡単設定が選択されると、各通信インターフェースの設定項目のうち、共通設定可能項目７については、共通設定メモリ領域５の設定値が使用される。上級者設定が選択されると、各通信インターフェースの個別設定メモリ領域６の設定値を個別に設定することになる。すなわち、上級者設定は第１設定方法、簡単設定は第２設定方法である。通信インターフェースのモード設定画面は、端末装置３０ａをユーザが操作することにより、端末装置３０ａのＣＰＵ５１がＩＦ設定プログラム５４ｄを実行し、端末装置３０ａが複合機１０に接続されて、設定プログラム１３ｅが実行されて開かれるものである。したがって、ＩＦ設定プログラム５４ｄ、設定プログラム１３ｅは、設定方法決定手段として機能する。
【００３１】
図６の「各ＩＦ設定への処理（簡単設定→上級者設定）」「共通設定への処理」については、後述する。
【００３２】
通信インターフェースのモード設定画面は、端末装置３０ａで開かれ、ユーザによって設定され、ＯＫが選択されることによって、複合機１０の外部メモリ１６のインターフェース設定メモリ領域８に記憶される。これにより「設定モード」が、簡単設定（共通設定）又は上級者設定（インターフェース毎設定）とされる（Ｓ３）。そして、図４に示す設定処理を終了する。なお、任意の通信インターフェース（例えば、インターフェース１）のインターフェース設定を行えば、設定が行われた複合機１０が備える他の通信インターフェース（インターフェース２及び３）も同様の設定となる。
【００３３】
次に、Ｓ２にてインターフェースモード設定でなかった場合（Ｓ２：Ｎｏ）、各通信インターフェースの通信設定であるかを判断する（Ｓ４）。図５に示す選択メニューから各通信インターフェースの設定を行うメニューが選択されたかにより判断する。各通信インターフェースの設定を行う場合には（Ｓ４：Ｙｅｓ）、図８の設定値設定画面を表示し、通信設定処理（Ｓ５）を行う。通信インターフェース設定でない場合は（Ｓ４：Ｎｏ）、ユーザの操作指示にしたがった処理を行う（Ｓ６）。Ｓ５又はＳ６の処理が終了すると、図４の設定処理が終了する。
【００３４】
次に通信設定処理について説明する。図７を用いて、通信設定画面を開いた場合の各設定値の読み出し処理について説明する。ユーザが端末装置３０ａを操作することにより、端末装置３０ａのＣＰＵ５１は、端末装置３０ａで開かれた通信設定画面のインターフェース番号（例えば、インターフェース１）と設定項目ＩＤ（例えば、ＴＣＰ／ＩＰの「HOST NAME」「IP config」等を指定するＩＤ）を取得する（Ｓ１１）。すなわち端末装置３０ａのＣＰＵ５１は、どの通信インターフェースの通信設定画面が開かれ、その設定画面にどのような設定項目があるかを取得する。そして、端末装置３０ａのＣＰＵ５１は、インターフェース設定メモリ領域８に保存されている設定値を取得して、簡単設定モードであるかを判断する（Ｓ１２）。簡単設定モードでないならば（Ｓ１２：Ｎｏ）、Ｓ１５へ進む。
【００３５】
簡単設定モードであれば（Ｓ１２：Ｙｅｓ）、取得した設定項目ＩＤの共通設定項目フラグが１であるかを判断する。共通設定項目フラグとは、共通設定可能項目であるかどうかを示すもので、共通設定可能項目であれば、共通設定項目フラグが１、そうでないならば、０である。共通設定項目フラグは、本実施例の場合、予め決められており、ＴＣＰ／ＩＰの各設定値の共通設定項目フラグは、０、ＳＭＴＰ，ＰＯＰ３等の各設定値の共通設定項目フラグは、１である。共通設定項目フラグが１である場合（Ｓ１３：Ｙｅｓ）は、共通設定を使用することが可能な項目であるため、端末装置３０ａのＣＰＵ５１は、共通設定用メモリ領域５から、設定項目ＩＤで指定されたエリアの値を読む（Ｓ１４）。
【００３６】
簡単設定モードでない場合（Ｓ１２：Ｎｏ）、又は、共通設定項目フラグが１でない場合（Ｓ１３：Ｎｏ）は、個別設定メモリ領域６の該当するＩＦ（インターフェース）番号の設定項目ＩＤで指定されたエリアの値を読む（Ｓ１５）。これにより、例えば、インターフェース１のＳＭＴＰの「SMTP Server」の設定値が読み込まれる。
【００３７】
端末装置３０ａのＣＰＵ５１は、開かれた設定画面上に設けられたすべての設定値について、以上の処理を行い、取得した全ての設定値を、図８に示すように、端末装置３０ａの表示部５８に表示する（Ｓ１６）。図８は、ＴＣＰ／ＩＰの設定画面が開かれた場合を示す。この画面が開かれた場合に、以上のような処理が行われ、IP Address, Subnet Mask等が通信インターフェースの個別設定メモリ領域６から取得され、表示される。
【００３８】
端末装置３０ａの表示部５８に表示された設定画面が、ＰＯＰ３／ＳＭＴＰに関する画面である場合、簡単設定であれば、共通設定メモリ領域５から設定値が取得され、上級者設定であれば、個別設定メモリ領域６から設定値が取得されて、表示される。
【００３９】
なお、本複合機１０が動作する際には、各プログラム１３ａ〜１３ｄを複合機１０のＣＰＵ１１により実行させることにより行われる。このときも、インターフェース設定メモリ領域８に記憶された設定モードに従い設定値が読み出されることとなる。例えば、複合機１０からＰＯＰ３サーバに受信メールの問合せを行う場合は、設定モードが簡単設定であるか確認し、簡単設定であれば、ＰＯＰ３サーバのアドレスは共通設定項目であるので、共通設定メモリ領域５からＰＯＰ３サーバのアドレスが読出されることとなる。
【００４０】
次に、設定値を記憶させる場合の処理について、図９を用いて説明する。ユーザが端末装置３０ａを操作することにより、端末装置３０ａの表示部５８上で図８のような通信設定画面の設定値を入力し、「ＯＫ」ボタンを押下すると、端末装置３０ａのＣＰＵ５１は、端末装置３０ａで開かれた通信設定画面のインターフェース番号と設定項目ＩＤ、及び設定値を取得する（Ｓ２１）。端末装置３０ａのＣＰＵ５１は、インターフェース設定メモリ領域８に保存されている設定値を取得して、簡単設定モードであるかを判断する（Ｓ２２）。簡単設定モードでないならば（Ｓ２２：Ｎｏ）、Ｓ２５へ進む。
【００４１】
簡単設定モードであれば（Ｓ２２：Ｙｅｓ）、取得した設定項目ＩＤの共通設定項目フラグが１であるかを判断する。共通設定項目フラグが１である場合（Ｓ２３：Ｙｅｓ）は、共通設定を使用する項目であるため、複合機１０の外部メモリ１６の共通設定メモリ領域５の設定項目ＩＤで指定されたエリアに設定値を記憶する（Ｓ２４）。
【００４２】
簡単設定モードでない場合（Ｓ２２：Ｎｏ）、又は共通設定項目フラグが１でない場合（Ｓ３：Ｎｏ）は、端末装置３０ａのＣＰＵ５１は、ＩＦ番号で指定され設定項目ＩＤで指定されたエリアの値として複合機１０へ出力し、複合機１０のＣＰＵ１１は、設定値を個別設定メモリ領域６に記憶する（Ｓ２５）。
【００４３】
図１０を用いて、図６の通信インターフェースのモード設定画面において、設定モードを簡単設定から上級者設定に変更し、共通設定をコピーするが選択されている場合について説明する。この場合、ユーザが通信インターフェースのモード設定画面でＯＫを選択することにより、複合機１０のＣＰＵ１１は、図１０に示す処理を行う。
【００４４】
図６の「各ＩＦ設定への処理（簡単設定→上級者設定）」は、簡単設定から上級者設定に変更した場合に、各通信インターフェースの共通設定可能項目７に、共通設定メモリ領域５の内容を反映するかを決めるものである。設定モードが簡単設定から上級者設定に変更された場合であって、且つ、「共通設定をコピーする」が選択されると、簡単設定から上級者設定に変更する場合に、各通信インターフェースの共通設定可能項目７に共通設定メモリ領域５の設定値をコピーする。なお、設定モードが簡単設定であれば、「各ＩＦ設定への処理」として「共通設定をコピーする」が選択されたとしても、共通設定メモリ領域５から共通設定可能項目７に設定値がコピーされることはない。また、設定モードが上級者設定に変更されても「各ＩＦ設定への処理」として「各インターフェースの設定を変更しない」が選択されていれば設定モードだけ変更し設定値はコピーされない。
【００４５】
ユーザが通信インターフェースのモード設定画面においてＯＫを選択すると、複合機１０のＣＰＵ１１は、ＩＦ（インターフェース）番号に「１」をセットする（Ｓ３１）。この処理は、どの通信インターフェースの個別設定メモリ領域６を変更するかを指定するものである。そして、共通設定の内容をＩＦ番号のメモリにコピーする（Ｓ３２）。つまり、共通設定の内容をインターフェース１のメモリにコピーする。次に複合機のＣＰＵは、ＩＦ番号をインクリメントする（Ｓ３３）。そして複合機のＣＰＵは、ＩＦ番号がＩＦ最大（ＩＦ最大は、複合機に備えられている通信インターフェースの数）を超えているかを判断する。ＩＦ番号がＩＦ最大を超えていない場合（Ｓ３４：Ｎｏ）は、Ｓ３２へ戻り、次のＩＦ番号のインターフェースのメモリに共通設定の内容をコピーする（Ｓ３２）。
【００４６】
ＩＦ番号がＩＦ最大を超えた場合（Ｓ３４：Ｙｅｓ）は、複合機１０に備えられたすべての通信インターフェースについて共通設定のコピーが終了したため、処理を終了する。つまり、以上の処理によって、複合機１０のＣＰＵ１１は、インターフェース１から順番にすべての通信インターフェースの個別設定メモリ領域６の共通設定可能項目７に共通設定メモリ領域６の設定値をコピーする。複合機１０の通信設定プログラム１３ｅは、第１反映手段として機能する。
【００４７】
図１１を用いて、図６の通信インターフェースのモード設定画面において、上級者設定から簡単設定に切り換えるとき、指定された通信インターフェースの個別設定メモリ領域６の設定値を共通設定メモリ領域５の設定値に反映する場合について説明する。この場合に、ユーザが通信インターフェースのモード設定画面でＯＫを押下することにより、複合機のＣＰＵは、図１１に示す処理を行う。
【００４８】
図６の「共通設定への処理」は、上級者設定から簡単設定に切り換えた場合であって、且つ、どの通信インターフェースの設定を共通設定に反映させるかを指定するものである。例えば、「ＩＦ１の設定をコピーする」が選択されていれば、インターフェース１の共通設定可能項目７の設定値を、共通設定メモリ領域５の設定値にコピーする。つまり、複合機１０のＣＰＵ１１は、設定画面によって指定されたインターフェース番号の設定内容を共通設定メモリ領域５にコピーする（Ｓ４１）。複合機１０の通信設定プログラム１３ｅは、第２反映手段として機能する。なお、設定モードが上級者設定であれば、「共通設定への処理」として、例えば「ＩＦ１の設定をコピーする」が選択されたとしても、共通設定可能項目７から共通設定メモリ領域５に設定値がコピーされることはない。また、設定モードが簡単設定に変更されても「共通設定への処理」として「共通設定を変更しない」が選択されれば設定モードだけが変更され、設定値はコピーされない。
【００４９】
以上の処理についてまとめた図１２を用いて説明する。第１設定方法（上級者設定）による読み出しが指定されている場合には、第１記憶手段の各通信インターフェースの設定値、例えば、ＩＦ１の第１設定値、第２設定値が読み出され、端末装置３０ａの表示部５８に表示される。
【００５０】
第２設定方法（簡単設定）による読み出しが指定されている場合には、第１設定値は、各通信インターフェースの設定値から読み出され、第２設定値は、第２記憶手段から読み出され、端末装置３０ａの表示部５８に表示される。
【００５１】
また、第２設定方法から第１設定方法へ変更された場合には、通信設定プログラム１３ｅが実行されて第２記憶手段の第２設定値が第１記憶手段の第２設定値に反映され、通信設定メモリ１６ａの各設定値が書き換えられる。
【００５２】
さらに第１設定方法から第２設定方法へ変更された場合には、第１記憶手段の第２設定値が第２記憶手段の第２設定値に反映される。
【００５３】
以上のように、本発明の情報処理装置は、共通設定メモリ領域５を有することにより、各通信インターフェースの設定を共通して行うことができるため、ユーザの通信インターフェースの設定に対する負担を軽減することができる。
【００５４】
以上の実施例では、ユーザが端末装置３０ａを操作し、複合機１０の通信インターフェース１８，１９，２０を設定する場合を説明したが、ユーザが複合機１０の表示部２２の画面に従って複合機１０の入力部２１を操作して、設定を行うように構成してもよい。このときは、複合機１０の通信設定プログラム１３ｅが、設定方法決定手段、読出手段、更新手段、第１反映手段、第２反映手段、反映対象決定手段についてそれぞれ機能させることとなる。
【００５５】
また、複数の通信インターフェース１８，１９，２０を備える複合機の場合を説明したが、複数の通信インターフェースを備えるコンピュータ、ＦＡＸ装置、プリンター等であってもよく、これらの場合も同様に、各通信インターフェースの設定を共通して行い、ユーザの設定に対する負担を軽減することができる。また、共通設定メモリ領域５は、予め使用者の設定などで決められた任意の通信インターフェース（例えばインターフェース１）の共通設定メモリ領域７を用いてもよい。この場合、他のインターフェース、例えばインターフェース２から設定値を読み出す際には、設定モードが簡単設定であればインターフェース１の共通設定メモリ領域７及びインターフェース２の個別設定メモリ領域６から設定値を読出し、また、読み出された設定メモリ領域に設定値を更新することとなる。
【００５６】
また、共通設定メモリ領域５を持たせることなく、設定モードが簡単設定であり且つ共通設定可能な設定項目の設定値の更新であれば、各通信インターフェース１８、１９、２０の共通設定メモリ領域７に全ての更新した設定値を反映させてもよい。具体的には、設定値を読み出す際には、設定モードが簡単設定、上級者設定に関係なく、設定値を読み出すと指定された通信インターフェース（例えば、インターフェース１）の設定値を読み出す。そして、読み出された設定値に対して変更指示をした際（図８において、所定の設定項目の設定値を入力部５７から変更入力し、ＯＫボタンを操作した際）、図１３のフローチャートに従い設定値の更新処理が行われる。
【００５７】
すなわち、上述したように、図９におけるＳ２１からＳ２３と同様のＳ５１からＳ５３の処理を行った後、Ｓ５２において簡単設定モードであり且つ共通設定項目フラグが「１」であった場合（すなわち、共通設定可能な設定項目の設定値であった場合）には（Ｓ５２：Ｙｅｓ，Ｓ５３：Ｙｅｓ）、Ｓ５４に移行し、各通信インターフェース（インターフェース１〜３、Ｎ＝３）に対応する共通設定可能項目７の設定項目ＩＤで指定されたエリアに設定値を書く。
【００５８】
一方、簡単設定モードでない、すなわち上級者設定モードである場合、共通設定項目フラグが「０」、すなわち共通設定可能でない設定項目の設定値である場合には（Ｓ５２：Ｎｏ又はＳ５３：Ｎｏ）、Ｓ５５に移行し、設定変更を指定した通信インターフェース（インターフェース１）に対応する個別設定メモリ領域６の設定項目ＩＤで指定されたエリアに設定値を書く。この場合は、本発明（請求項５）における第１記憶手段が任意の通信インターフェース（例えば、インターフェース１）に対応する個別設定メモリ領域６に、第２記憶手段が他の通信インターフェース（インターフェース２及び３）に対応する個別設定メモリ領域６に相当する。
【図面の簡単な説明】
【００５９】
【図１】複合機の電気的構成例を示すブロック図。
【図２】設定値を記憶するメモリについて説明する図。
【図３】端末装置の電気的構成例を示すブロック図。
【図４】通信設定処理を示すフローチャート。
【図５】設定処理の一画面の示す図。
【図６】通信インターフェースのモード設定画面について説明する図。
【図７】設定値の読み込み処理を示すフローチャート。
【図８】設定値の設定画面について説明する図。
【図９】設定値の書き込み処理を示すフローチャート。
【図１０】上級者設定への切り換え時の処理を示すフローチャート。
【図１１】簡単設定への切り換え時の処理を示すフローチャート。
【図１２】設定処理の概略をまとめた図。
【図１３】他の実施例における設定値の書き込み処理を示すフローチャート。
【符号の説明】
【００６０】
１０  複合機
１１  ＣＰＵ
１２  ＲＡＭ
１６  外部メモリ
２２  表示部
３０ａ，３０ｂ，４０ａ，４０ｂ  端末装置
５１  ＣＰＵ
１００  有線通信ネットワーク
１０１  無線通信ネットワーク
【図１】
2007104034.tif 000003
【図２】
2007104034.tif 000004
【図３】
2007104034.tif 000005
【図４】
2007104034.tif 000006
【図５】
2007104034.tif 000007
【図６】
2007104034.tif 000008
【図７】
2007104034.tif 000009
【図８】
2007104034.tif 000010
【図９】
2007104034.tif 000011
【図１０】
2007104034.tif 000012
【図１１】
2007104034.tif 000013
【図１２】
2007104034.tif 000014
【図１３】
2007104034.tif 000015